(57)【要約】【課題】左右画像のいずれに対しても同期がとれ、逆視を防止する。【解決手段】表示装置２０において、右目用画像と左目用画像とを交互に表示する際に、色及び模様の少なくとも一方が予め定められた識別用画像を、右目用画像の表示前に期間ｔ１表示し、左目用画像の表示前に期間ｔ２（ｔ１≠ｔ２）表示する。右目用液晶シャッタ４４ａ及び左目用液晶シャッタ４４ｂを備えたシャッタメガネ４０において、内蔵カメラ４２でディスプレイ画像を検出し、ディスプレイ画像を画像認識して、ディスプレイ画像が識別用画像か否かを判定し、識別用画像の表示期間がｔ１の場合には現フレームが右目用画像、ｔ２の場合には現フレームが左目用画像であると判定する。そして、識別用画像の表示期間及び１フレームの表示期間に応じて、次フレームの画像表示のタイミングに対応した右目用液晶シャッタ４４ａ及び左目用液晶シャッタ４４ｂの開閉タイミングを設定する。【選択図】図５
2012060500.tif 000002
【特許請求の範囲】
【請求項１】
右目用画像と左目用画像とが交互に表示される表示手段と、
前記表示手段に、色及び模様の少なくとも一方が予め定められた識別用画像が、前記右目用画像の表示前に第１の所定期間表示され、前記左目用画像の表示前に前記第１の所定期間とは異なる第２の所定期間表示されるように制御する表示制御手段と、を含む表示装置と、
右目用シャッタ及び左目用シャッタを備えたシャッタメガネであって、
前記表示手段に表示された画像を検出する検出手段と、
前記検出手段により検出された画像を認識して、検出された画像が前記識別用画像か否かを判定し、前記識別用画像であると判定された場合には、前記識別用画像の表示期間に基づいて、前記右目用シャッタ及び前記左目用シャッタの開閉タイミングを設定する設定手段と、
前記設定手段により設定された開閉タイミングに基づいて、前記右目用シャッタ及び前記左目用シャッタの開閉を駆動する駆動手段と、を含むシャッタメガネと、
を含む立体視画像視聴システム。
【請求項２】
前記表示制御手段は、前記右目用画像の表示前に表示する前記識別用画像と、前記左目用画像の表示前に表示する前記識別用画像との色及び模様の少なくとも一方を異ならせて表示するように制御し、
前記設定手段は、前記識別用画像の表示期間並びに色及び模様の少なくとも一方に基づいて、前記右目用シャッタ及び前記左目用シャッタの開閉タイミングを設定する
請求項１記載の立体視画像視聴システム。
【請求項３】
前記表示制御手段は、前記左目用画像の表示期間と前記右目用画像の表示期間とが同一になるように、前記識別用画像が表示されるように制御する請求項１または請求項２記載の立体視画像視聴システム。
【請求項４】
前記表示制御手段は、前記識別用画像が、前記第１の所定期間内においては第１の周期で表示される第１周期画像を含み、前記第２の所定期間においては前記第１の周期とは異なる第２の周期で表示される第２周期画像を含んで表示されるように制御し、
前記設定手段は、前記識別用画像の表示期間及び表示される周期に基づいて、前記右目用シャッタ及び前記左目用シャッタの開閉タイミングを設定する
請求項１〜請求項３のいずれか１項記載の立体視画像視聴システム。
【請求項５】
右目用画像と左目用画像とが交互に表示される表示手段と、
前記表示手段に、色及び模様の少なくとも一方が予め定められた右識別用画像が、前記右目用画像の表示前に所定期間表示され、前記右識別用画像とは異なる色及び模様の少なくとも一方が予め定められた左識別用画像が、前記左目用画像の表示前に前記所定期間表示されるように制御する表示制御手段と、を含む表示装置と、
右目用シャッタ及び左目用シャッタを備えたシャッタメガネであって、
前記表示手段に表示された画像を検出する検出手段と、
前記検出手段により検出された画像を認識して、検出された画像が前記右識別用画像または前記左識別用画像か否かを判定し、前記右識別用画像または前記左識別用画像であると判定された場合には、前記右識別用画像か前記左識別用画像か、及び該右識別用画像または該左識別用画像の表示期間に基づいて、前記右目用シャッタ及び前記左目用シャッタの開閉タイミングを設定する設定手段と、
前記設定手段により設定された開閉タイミングに基づいて、前記右目用シャッタ及び前記左目用シャッタの開閉を駆動する駆動手段と、を含むシャッタメガネと、
を含む立体視画像視聴システム。
【請求項６】
前記表示制御手段は、前記右識別用画像及び前記左識別用画像の色及び模様の少なくとも一方が、前記右目用画像及び前記左目用画像に対してコントラストが高くなるように制御する請求項５記載の立体視画像視聴システム。
【請求項７】
前記表示制御手段は、前記右識別用画像が第１の周期で表示される第１周期画像を含み、前記左識別用画像が前記第１の周期とは異なる第２の周期で表示される第２周期画像を含んで表示されるように制御し、
前記設定手段は、前記右識別用画像及び前記左識別用画像の色及び模様の少なくとも一方、表示される周期、並びに該周期で表示される期間に基づいて、前記右目用シャッタ及び前記左目用シャッタの開閉タイミングを設定する
請求項５または請求項６記載の立体視画像視聴システム。
【請求項８】
右目用画像と左目用画像とが交互に表示される表示手段と、
前記表示手段に、色及び模様の少なくとも一方が予め定められた識別用画像が、前記右目用画像の表示期間中に第１の周期で表示され、前記左目用画像の表示期間中に前記第１の周期とは異なる第２の周期で表示されるように制御する表示制御手段と、を含む表示装置と、
右目用シャッタ及び左目用シャッタを備えたシャッタメガネであって、
前記表示手段に表示された画像を検出する検出手段と、
前記検出手段により検出された画像を認識して、色及び模様の少なくとも一方が予め定められた識別用画像か否かを判定し、前記識別用画像であると判定された場合には、該識別用画像の表示される周期及び該周期が切り替わるタイミングに基づいて、前記右目用シャッタ及び前記左目用シャッタの開閉タイミングを設定する設定手段と、
前記設定手段により設定された開閉タイミングに基づいて、前記右目用シャッタ及び前記左目用シャッタの開閉を駆動する駆動手段と、を含むシャッタメガネと、
を含む立体視画像視聴システム。
【請求項９】
前記表示制御手段は、前記右目用画像の表示期間中に表示する前記識別用画像と、前記左目用画像の表示期間中に表示する前記識別用画像との色及び模様の少なくとも一方を異ならせて表示するように制御し、
前記設定手段は、前記識別用画像の色及び模様の少なくとも一方、表示される周期、並びに該周期が切り替わるタイミングに基づいて、前記右目用シャッタ及び前記左目用シャッタの開閉タイミングを設定する
請求項８記載の立体視画像視聴システム。
【請求項１０】
前記表示制御手段は、前記識別用画像の色及び模様の少なくとも一方が、前記右目用画像及び前記左目用画像に対してコントラストが高くなるように制御する請求項８または請求項９記載の立体視画像視聴システム。
【請求項１１】
右目用シャッタ及び左目用シャッタを備えたシャッタメガネであって、
表示手段に表示された画像を検出する検出手段と、
前記検出手段により検出された画像を認識して、検出された画像が色及び模様の少なくとも一方が予め定められた識別用画像か否かを判定し、前記識別用画像であると判定された場合には、前記識別用画像の表示期間が第１の所定期間か該第１の所定期間とは異なる第２の所定期間かを判定し、前記識別用画像の表示期間に基づいて、前記右目用シャッタ及び前記左目用シャッタの開閉タイミングを設定する設定手段と、
前記設定手段により設定された開閉タイミングに基づいて、前記右目用シャッタ及び前記左目用シャッタの開閉を駆動する駆動手段と、
を含むシャッタメガネ。
【請求項１２】
右目用シャッタ及び左目用シャッタを備えたシャッタメガネであって、
表示手段に表示された画像を検出する検出手段と、
前記検出手段により検出された画像を認識して、検出された画像が色及び模様の少なくとも一方が予め定められた右識別用画像か、または前記右識別用画像とは異なる色及び模様の少なくとも一方が予め定められた左識別用画像か否かを判定し、前記右識別用画像または前記左識別用画像であると判定された場合には、前記右識別用画像か前記左識別用画像か、及び該右識別用画像または該左識別用画像の表示期間に基づいて、前記右目用シャッタ及び前記左目用シャッタの開閉タイミングを設定する設定手段と、
前記設定手段により設定された開閉タイミングに基づいて、前記右目用シャッタ及び前記左目用シャッタの開閉を駆動する駆動手段と、
を含むシャッタメガネ。
【請求項１３】
右目用シャッタ及び左目用シャッタを備えたシャッタメガネであって、
表示手段に表示された画像を検出する検出手段と、
前記検出手段により検出された画像を認識して、色及び模様の少なくとも一方が予め定められた識別用画像か否かを判定し、前記識別用画像であると判定された場合には、該識別用画像の表示される周期が第１の周期かまたは前記第１の周期とは異なる第２の周期かを判定し、該識別用画像の表示される周期及び該周期が切り替わるタイミングに基づいて、前記右目用シャッタ及び前記左目用シャッタの開閉タイミングを設定する設定手段と、
前記判定手段により、前記識別用画像の表示される周期が第１の周期であると判定された場合には、該識別用画像の表示される周期が切り替わるタイミングに対応した前記右目用シャッタの開閉タイミングを設定し、前記識別用画像の表示される周期が第２の周期であると判定された場合には、該識別用画像の表示される周期が切り替わるタイミングに対応した前記左目用シャッタの開閉タイミングを設定する設定手段と、
前記設定手段により設定された開閉タイミングに基づいて、前記右目用シャッタ及び前記左目用シャッタの開閉を駆動する駆動手段と、
を含むシャッタメガネ。
【発明の詳細な説明】
【技術分野】
【０００１】
本発明は、立体視画像視聴システム及びシャッタメガネに関する。
【背景技術】
【０００２】
従来、表示装置に右目用画像と左目用画像とを交互に表示し、表示装置に表示された右目用画像と左目用画像との切り換わりのタイミングに同期して右目用シャッタと左目用シャッタとを切り換えるシャッタメガネを装着して、表示装置に表示された画像を視聴することにより、立体視画像を視聴することが行われている。
【０００３】
ここで、左右の画像の切換タイミングとシャッタメガネの左右の切換タイミングとが同期していない場合には、左目に映るべき画像と右目に映るべき画像とが逆になる逆視が生じる。逆視は視覚疲労や不快感の原因となるため、左右の画像の切換タイミングとシャッタメガネの左右の切換タイミングとの同期を図る技術が提案されている。
【０００４】
例えば、シャッタメガネに設けられた光センサにより、一対の左右フレーム毎またはそれ以上のフレーム毎に表示される所定の画像フレームを検出することにより、シャッタメガネの切換と左右の画像の切換とを同期させる視聴装置が提案されている（例えば、特許文献１参照）。
【０００５】
また、画面上の所定の位置に表示されたマークをフォトセンサにより感知して、フォトセンサの出力信号に基づいて、その出力信号の直後にある垂直同期信号から次の垂直同期信号までの期間に立体ビデオ映像鑑賞用めがねの制御信号を作成する立体ビデオ映像観賞用めがねの制御装置が提案されている（例えば、特許文献２参照）。
【０００６】
また、表示画面上の表示像中の走査線による発光を受光して電気信号に変換し、電気信号の位相を調整して左右画像の切換タイミングを調整して、観察用めがねの左右の遮光を切り換える立体テレビジョン用遮光制御装置が提案されている（例えば、特許文献３参照）。
【先行技術文献】
【特許文献】
【０００７】
【特許文献１】特開２００７−５０７９５０号公報
【特許文献２】特開平１０−１２６８１５号公報
【特許文献３】特開昭６３−６０６８９号公報
【発明の概要】
【発明が解決しようとする課題】
【０００８】
しかしながら、特許文献１の技術では、右目用画像と左目用画像とを一対として、一対の左右フレーム毎またはそれ以上のフレーム毎に所定の画像フレームを挿入しているため、シャッタメガネのいずれか一方の切換タイミングが左右画像の切換タイミングに同期しない可能性がある、という問題がある。
【０００９】
また、特許文献２の技術では、視聴用の画像上にマークが表示されるため、画像の一部が欠けて目立つ、という問題がある。
【００１０】
また、特許文献３の技術では、右目用画像と左目用画像とを区別することができないため、逆視が生じる可能性がある、という問題がある。
【００１１】
本発明は、上記問題を解決するためになされたもので、左右画像のいずれに対しても同期がとれ、逆視を防止することができる立体視画像視聴システム及びシャッタメガネを提供することを目的とする。
【課題を解決するための手段】
【００１２】
上記目的を達成するために、第１の発明の立体視画像視聴システムは、右目用画像と左目用画像とが交互に表示される表示手段と、前記表示手段に、色及び模様の少なくとも一方が予め定められた識別用画像が、前記右目用画像の表示前に第１の所定期間表示され、前記左目用画像の表示前に前記第１の所定期間とは異なる第２の所定期間表示されるように制御する表示制御手段と、を含む表示装置と、右目用シャッタ及び左目用シャッタを備えたシャッタメガネであって、前記表示手段に表示された画像を検出する検出手段と、前記検出手段により検出された画像を認識して、検出された画像が前記識別用画像か否かを判定し、前記識別用画像であると判定された場合には、前記識別用画像の表示期間に基づいて、前記右目用シャッタ及び前記左目用シャッタの開閉タイミングを設定する設定手段と、前記設定手段により設定された開閉タイミングに基づいて、前記右目用シャッタ及び前記左目用シャッタの開閉を駆動する駆動手段と、を含むシャッタメガネと、を含んで構成されている。
【００１３】
第１の発明の立体視画像視聴システムは、表示装置において、表示手段に、右目用画像と左目用画像とが交互に表示される。また、表示制御手段が、表示手段に、色及び模様の少なくとも一方が予め定められた識別用画像が、右目用画像の表示前に第１の所定期間表示され、左目用画像の表示前に第１の所定期間とは異なる第２の所定期間表示されるように制御する。
そして、右目用シャッタ及び左目用シャッタを備えたシャッタメガネにおいて、検出手段が、表示手段に表示された画像を検出し、設定手段が、検出手段により検出された画像を認識して、検出された画像が識別用画像か否かを判定し、識別用画像であると判定された場合には、識別用画像の表示期間に基づいて、右目用シャッタ及び左目用シャッタの開閉タイミングを設定する。駆動手段は、設定手段により設定された開閉タイミングに基づいて、右目用シャッタ及び左目用シャッタの開閉を駆動する。
【００１４】
このように、表示装置において、右目用画像及び左目用画像の表示前に、各々異なる表示期間で識別用画像を表示し、シャッタメガネにおいて、識別用画像の表示期間に基づいて、右目用画像及び左目用画像を区別することができるため、右目用シャッタ及び左目用シャッタの開閉タイミングを各々適切に設定することができ、左右画像のいずれに対しても同期がとれ、逆視を防止することができる。
【００１５】
また、第１の発明において、前記表示制御手段は、前記右目用画像の表示前に表示する前記識別用画像と、前記左目用画像の表示前に表示する前記識別用画像との色及び模様の少なくとも一方を異ならせて表示するように制御し、前記設定手段は、前記識別用画像の表示期間並びに色及び模様の少なくとも一方に基づいて、前記右目用シャッタ及び前記左目用シャッタの開閉タイミングを設定するようにすることができる。これにより、より精度良く右目用画像及び左目用画像を区別することができる。
【００１６】
また、第１の発明において、前記表示制御手段は、前記識別用画像の色及び模様の少なくとも一方が、前記右目用画像及び前記左目用画像に対してコントラストが高くなるように制御することができる。これにより、より確実に識別用画像を検出することができる。
【００１７】
また、第１の発明において、前記表示制御手段は、前記左目用画像の表示期間と前記右目用画像の表示期間とが同一になるように、前記識別用画像が表示されるように制御することができる。これにより、表示画像のちらつきを抑制することができる。
【００１８】
また、第１の発明において、前記表示制御手段は、前記識別用画像が、前記第１の所定期間内においては第１の周期で表示される第１周期画像を含み、前記第２の所定期間においては前記第１の周期とは異なる第２の周期で表示される第２周期画像を含んで表示されるように制御し、前記設定手段は、前記識別用画像の表示期間及び表示される周期に基づいて、前記右目用シャッタ及び前記左目用シャッタの開閉タイミングを設定するようにすることができる。
【００１９】
また、第２の発明の立体視画像視聴システムは、右目用画像と左目用画像とが交互に表示される表示手段と、前記表示手段に、色及び模様の少なくとも一方が予め定められた右識別用画像が、前記右目用画像の表示前に所定期間表示され、前記右識別用画像とは異なる色及び模様の少なくとも一方が予め定められた左識別用画像が、前記左目用画像の表示前に前記所定期間表示されるように制御する表示制御手段と、を含む表示装置と、右目用シャッタ及び左目用シャッタを備えたシャッタメガネであって、前記表示手段に表示された画像を検出する検出手段と、前記検出手段により検出された画像を認識して、検出された画像が前記右識別用画像または前記左識別用画像か否かを判定し、前記右識別用画像または前記左識別用画像であると判定された場合には、前記右識別用画像か前記左識別用画像か、及び該右識別用画像または該左識別用画像の表示期間に基づいて、前記右目用シャッタ及び前記左目用シャッタの開閉タイミングを設定する設定手段と、前記設定手段により設定された開閉タイミングに基づいて、前記右目用シャッタ及び前記左目用シャッタの開閉を駆動する駆動手段と、を含むシャッタメガネと、を含んで構成されている。
【００２０】
第２の発明の立体視画像視聴システムによれば、表示装置において、表示手段に、右目用画像と左目用画像とが交互に表示される。また、表示制御手段が、表示手段に、色及び模様の少なくとも一方が予め定められた右識別用画像が、右目用画像の表示前に所定期間表示され、右識別用画像とは異なる色及び模様の少なくとも一方が予め定められた左識別用画像が、左目用画像の表示前に所定期間表示されるように制御する。
【００２１】
そして、右目用シャッタ及び左目用シャッタを備えたシャッタメガネにおいて、検出手段が、表示手段に表示された画像を検出し、設定手段が、検出手段により検出された画像を認識して、検出された画像が右識別用画像または左識別用画像か否かを判定し、右識別用画像または左識別用画像であると判定された場合には、右識別用画像か左識別用画像か、及び該右識別用画像または該左識別用画像の表示期間に基づいて、右目用シャッタ及び左目用シャッタの開閉タイミングを設定する。駆動手段は、設定手段により設定された開閉タイミングに基づいて、右目用シャッタ及び左目用シャッタの開閉を駆動する。
【００２２】
このように、表示装置において、右目用画像及び左目用画像の表示前に、各々異なる右識別用画像または左識別用画像を表示し、シャッタメガネにおいて、識別用画像の色および模様の少なくとも一方に基づいて、右目用画像及び左目用画像を区別することができるため、右目用シャッタ及び左目用シャッタの開閉タイミングを各々適切に設定することができ、左右画像のいずれに対しても同期がとれ、逆視を防止することができる。
【００２３】
また、第２の発明において、前記表示制御手段は、前記右識別用画像及び前記左識別用画像の色及び模様の少なくとも一方が、前記右目用画像及び前記左目用画像に対してコントラストが高くなるように制御することができる。これにより、より確実に識別用画像を検出することができる。
【００２４】
また、第２の発明において、前記表示制御手段は、前記右識別用画像が第１の周期で表示される第１周期画像を含み、前記左識別用画像が前記第１の周期とは異なる第２の周期で表示される第１周期画像を含んで表示されるように制御し、前記設定手段は、前記右識別用画像及び前記左識別用画像の色及び模様の少なくとも一方、表示される周期、並びに該周期で表示される期間に基づいて、前記右目用シャッタ及び前記左目用シャッタの開閉タイミングを設定するようにすることができる。これにより、より精度良く右識別用画像及び左識別用画像を検出することができる。
【００２５】
また、第３の発明の立体視画像視聴システムは、右目用画像と左目用画像とが交互に表示される表示手段と、前記表示手段に、色及び模様の少なくとも一方が予め定められた識別用画像が、前記右目用画像の表示期間中に第１の周期で表示され、前記左目用画像の表示期間中に前記第１の周期とは異なる第２の周期で表示されるように制御する表示制御手段と、を含む表示装置と、右目用シャッタ及び左目用シャッタを備えたシャッタメガネであって、前記表示手段に表示された画像を検出する検出手段と、前記検出手段により検出された画像を認識して、色及び模様の少なくとも一方が予め定められた識別用画像か否かを判定し、前記識別用画像であると判定された場合には、該識別用画像の表示される周期及び該周期が切り替わるタイミングに基づいて、前記右目用シャッタ及び前記左目用シャッタの開閉タイミングを設定する設定手段と、前記設定手段により設定された開閉タイミングに基づいて、前記右目用シャッタ及び前記左目用シャッタの開閉を駆動する駆動手段と、を含むシャッタメガネと、を含んで構成されている。
【００２６】
第３の発明の立体視画像視聴システムによれば、表示装置において、表示手段に、右目用画像と左目用画像とが交互に表示される。また、表示制御装置が、表示手段に、色及び模様の少なくとも一方が予め定められた識別用画像が、右目用画像の表示期間中に第１の周期で表示され、左目用画像の表示期間中に第１の周期とは異なる第２の周期で表示されるように制御する。
【００２７】
そして、右目用シャッタ及び左目用シャッタを備えたシャッタメガネにおいて、検出手段が、表示手段に表示された画像を検出し、設定手段が、検出手段により検出された画像を認識して、色及び模様の少なくとも一方が予め定められた識別用画像か否かを判定し、識別用画像であると判定された場合には、該識別用画像の表示される周期及び該周期が切り替わるタイミングに基づいて、右目用シャッタ及び左目用シャッタの開閉タイミングを設定する。駆動手段は、設定手段により設定された開閉タイミングに基づいて、右目用シャッタ及び左目用シャッタの開閉を駆動する。
【００２８】
このように、表示装置において、右目用画像及び左目用画像の表示期間中に、各々異なる周期で識別用画像を表示し、シャッタメガネにおいて、識別用画像の色および模様の少なくとも一方に基づいて、右目用画像及び左目用画像を区別することができるため、右目用シャッタ及び左目用シャッタの開閉タイミングを各々適切に設定することができ、左右画像のいずれに対しても同期がとれ、逆視を防止することができる。
【００２９】
また、第３の発明において、前記表示制御手段は、前記右目用画像の表示期間中に表示する前記識別用画像と、前記左目用画像の表示期間中に表示する前記識別用画像との色及び模様の少なくとも一方を異ならせて表示するように制御し、前記設定手段は、前記識別用画像の色及び模様の少なくとも一方、表示される周期、並びに該周期が切り替わるタイミングに基づいて、前記右目用シャッタ及び前記左目用シャッタの開閉タイミングを設定するようにすることができる。これにより、より精度良く識別用画像を検出することができる。
【００３０】
また、第３の発明において、前記表示制御手段は、前記識別用画像の色及び模様の少なくとも一方が、前記右目用画像及び前記左目用画像に対してコントラストが高くなるように制御することができる。これにより、より確実に識別用画像を検出することができる。
【００３１】
また、第４の発明のシャッタメガネは、右目用シャッタ及び左目用シャッタを備えたシャッタメガネであって、表示手段に表示された画像を検出する検出手段と、前記検出手段により検出された画像を認識して、検出された画像が色及び模様の少なくとも一方が予め定められた識別用画像か否かを判定し、前記識別用画像であると判定された場合には、前記識別用画像の表示期間が第１の所定期間か該第１の所定期間とは異なる第２の所定期間かを判定し、前記識別用画像の表示期間に基づいて、前記右目用シャッタ及び前記左目用シャッタの開閉タイミングを設定する設定手段と、前記設定手段により設定された開閉タイミングに基づいて、前記右目用シャッタ及び前記左目用シャッタの開閉を駆動する駆動手段と、を含んで構成されている。
【００３２】
また、第５の発明のシャッタメガネは、右目用シャッタ及び左目用シャッタを備えたシャッタメガネであって、表示手段に表示された画像を検出する検出手段と、前記検出手段により検出された画像を認識して、検出された画像が色及び模様の少なくとも一方が予め定められた右識別用画像か、または前記右識別用画像とは異なる色及び模様の少なくとも一方が予め定められた左識別用画像か否かを判定し、前記右識別用画像または前記左識別用画像であると判定された場合には、前記右識別用画像か前記左識別用画像か、及び該右識別用画像または該左識別用画像の表示期間に基づいて、前記右目用シャッタ及び前記左目用シャッタの開閉タイミングを設定する設定手段と、前記設定手段により設定された開閉タイミングに基づいて、前記右目用シャッタ及び前記左目用シャッタの開閉を駆動する駆動手段と、を含んで構成されている。
【００３３】
また、第６の発明のシャッタメガネは、右目用シャッタ及び左目用シャッタを備えたシャッタメガネであって、表示手段に表示された画像を検出する検出手段と、前記検出手段により検出された画像を認識して、色及び模様の少なくとも一方が予め定められた識別用画像か否かを判定し、前記識別用画像であると判定された場合には、該識別用画像の表示される周期が第１の周期かまたは前記第１の周期とは異なる第２の周期かを判定し、該識別用画像の表示される周期及び該周期が切り替わるタイミングに基づいて、前記右目用シャッタ及び前記左目用シャッタの開閉タイミングを設定する設定手段と、前記設定手段により設定された開閉タイミングに基づいて、前記右目用シャッタ及び前記左目用シャッタの開閉を駆動する駆動手段と、を含んで構成されている。
【発明の効果】
【００３４】
以上説明したように、本発明によれば、表示装置において、右目用画像及び左目用画像の表示前に、各々異なる表示期間で識別用画像を表示するか、もしくは各々異なる識別用画像を表示するか、または、右目用画像及び左目用画像の表示期間中に、各々異なる周期で識別用画像を表示し、シャッタメガネにおいて、識別用画像を検出して、右目用画像及び左目用画像を区別することができるため、右目用シャッタ及び左目用シャッタの開閉タイミングを各々適切に設定することができ、左右画像のいずれに対しても同期がとれ、逆視を防止することができる、という効果が得られる。
【図面の簡単な説明】
【００３５】
【図１】本実施の形態に係る立体視画像視聴システムの概略を示す図である。
【図２】本実施の形態に係る立体視画像視聴システムの表示装置の概略構成を示すブロック図である。
【図３】本実施の形態に係る立体視画像視聴システムのシャッタメガネの概略構成を示すブロック図である。
【図４】第１の実施の形態の立体視画像視聴システムの表示装置制御部において実行される表示処理ルーチンの内容を示すフローチャートである。
【図５】第１の実施の形態における画像表示及びシャッタメガネ切換のタイムチャートである。
【図６】第１の実施の形態の立体視画像視聴システムのシャッタメガネ制御部において実行されるシャッタメガネ切換タイミング設定処理ルーチンの内容を示すフローチャートである。
【図７】第２の実施の形態の立体視画像視聴システムの表示装置制御部において実行される表示処理ルーチンの内容を示すフローチャートである。
【図８】第２の実施の形態における画像表示及びシャッタメガネ切換のタイムチャートである。
【図９】第２の実施の形態の立体視画像視聴システムのシャッタメガネ制御部において実行されるシャッタメガネ切換タイミング設定処理ルーチンの内容を示すフローチャートである。
【図１０】第３の実施の形態の立体視画像視聴システムの表示装置制御部において実行される表示処理ルーチンの内容を示すフローチャートである。
【図１１】第４の実施の形態における画像表示及びシャッタメガネ切換のタイムチャートである。
【図１２】第５の実施の形態の立体視画像視聴システムの表示装置制御部において実行される表示処理ルーチンの内容を示すフローチャートである。
【図１３】第５の実施の形態における画像表示及びシャッタメガネ切換のタイムチャートである。
【図１４】第５の実施の形態の立体視画像視聴システムのシャッタメガネ制御部において実行されるシャッタメガネ切換タイミング設定処理ルーチンの内容を示すフローチャートである。
【図１５】第６の実施の形態の立体視画像視聴システムの表示装置制御部において実行される表示処理ルーチンの内容を示すフローチャートである。
【図１６】第６の実施の形態における画像表示及びシャッタメガネ切換のタイムチャートである。
【発明を実施するための形態】
【００３６】
以下、図面を参照して、本発明の実施の形態を詳細に説明する。
【００３７】
図１は、第１の実施の形態に係る立体視画像視聴システム１０の概略を示す図である。同図に示すように、第１の実施の形態に係る立体視画像視聴システム１０は、立体視画像を表示するディスプレイ２２を含んで構成された表示装置２０と、内蔵カメラ４２、並びに右目用液晶シャッタ４４ａ及び左目用液晶シャッタ４４ｂを含んで構成されたシャッタメガネ４０を備えている。また、表示装置２０には表示装置制御部３０が設けられており、シャッタメガネ４０にはシャッタメガネ制御部５０が設けられている（図２及び図３参照）。
【００３８】
本実施の形態の立体視画像視聴システム１０で立体視画像を視聴する場合には、右目用画像と左目用画像とが交互に表示装置２０に表示され、右目用画像が表示されたときに右目用液晶シャッタ４４ａが開、左目用液晶シャッタ４４ｂが閉、左目用画像が表示されたときに左目用液晶シャッタ４４ｂが開、右目用液晶シャッタ４４ａが閉となるように交互に液晶シャッタが駆動される。なお、以下では、右目用画像及び左目用画像を総称して表示画像ともいう。
【００３９】
図２は、第１の実施の形態に係る立体視画像視聴システム１０の表示装置２０の概略構成を示すブロック図である。表示装置制御部３０は、機能的には、画像取得部３２、識別用画像重畳部３４、及び表示制御部３６を含んだ構成で表すことができる。
【００４０】
画像取得部３２は、図示しない記録メディアに記録されている動画像を読み込んだり、ネットワークを介して動画像をダウンロードしたりすることにより、右目用画像及び左目用画像を交互に１フレームずつ取得する。
【００４１】
識別用画像重畳部３４は、右目用画像と左目用画像との切換タイミングを検出するための識別用画像を、画像取得部３２により取得された画像に重畳する。識別用画像は、色及び模様の少なくとも一方が定められた所定画像であり、例えば、画像全体を黒色とした全黒画像とすることができる。識別用画像重畳部３４では、識別用画像が、右目用画像の表示開始からの所定期間ｔ１、及び左目用画像の表示開始からの所定期間ｔ２（ｔ２≠ｔ１）表示されるように、識別用画像を右目用画像及び左目用画像の各々に重畳する。
【００４２】
表示制御部３６は、識別用画像重畳部３４により識別用画像が重畳された右目用画像及び左目用画像がディスプレイ２２に表示されるように制御する。
【００４３】
図３は、第１の実施の形態に係る立体視画像視聴システム１０のシャッタメガネ４０の概略構成を示すブロック図である。シャッタメガネ制御部５０は、機能的には、タイミング設定部５４、及び液晶シャッタ駆動部５６を含んだ構成で表すことができる。
【００４４】
タイミング設定部５４は、内蔵カメラ４２で撮影された撮影画像を取り込んで、撮影画像からディスプレイ２２に表示されたディスプレイ画像を検出し、ディスプレイ画像を認識することにより、ディスプレイ画像の色及び模様の少なくとも一方が予め定めたもの（例えば、全黒画像）か否かに基づいて、ディスプレイ画像が識別用画像か否かを判定する。ディスプレイ画像が識別用画像であると判定された場合には、識別用画像の表示期間を算出して、表示期間がｔ１かｔ２かに基づいて、現在表示されているフレームが右目用画像か左目用画像かを判定する。この判定結果に基づいて、次フレームまたは次フレーム以降のフレームの画像表示タイミングに応じた右目用液晶シャッタ４４ａ及び左目用液晶シャッタ４４ｂの開閉切換タイミングを設定する。
【００４５】
次に、図４を参照して、第１の実施の形態の立体視画像視聴システム１０の表示装置制御部３０において実行される表示処理ルーチンについて説明する。本ルーチンは、図示しない操作スイッチが操作されて立体視画像の表示（動画像の再生）が指示されることによりスタートする。なお、ここでは、識別用画像として全黒画像を用いる場合について説明する。
【００４６】
ステップ１００で、図示しない記録メディアに記録されている動画像や、ネットワークを介してダウンロードした動画像の１フレーム目の画像を取得する。次に、ステップ１０２で、上記ステップ１００で取得した１フレーム目の画像が右目用画像か左目用画像かを判定する。この判定は、動画像のヘッダ情報に基づいて判定したり、予め定められた規格に基づいて判定したりすることができる。
【００４７】
次に、ステップ１０４で、上記ステップ１０２の判定結果に基づいて、１フレーム目が右目用画像の場合には全黒画像を期間ｔ１表示した後に、上記ステップ１００で取得した右目用画像を表示する。また、１フレーム目が左目用画像の場合には全黒画像を期間ｔ２表示した後に、上記ステップ１００で取得した左目用画像を表示する。例えば、１フレームの表示期間が１／１２０秒の場合には、１／１２０秒−ｔ１が右目用画像の表示期間、１／１２０秒−ｔ２が左目用画像の表示期間となる。
【００４８】
次に、ステップ１０６で、次のフレームが存在するか否かを判定し、存在する場合には、ステップ１０８へ移行して、次フレームの画像を取得する。上記ステップ１００で取得された画像が右目用画像の場合には、本ステップでは左目用画像が取得される。一方、上記ステップ１００で取得された画像が左目用画像の場合には、本ステップでは右目用画像が取得される。
【００４９】
次に、ステップ１１０で、上記ステップ１０４で表示した全黒画像の表示期間がｔ１であった場合、すなわち表示画像が右目用画像であった場合には、全黒画像を期間ｔ２表示した後に、上記ステップ１０８で取得した左目用画像を表示する。また、上記ステップ１０４で表示した全黒画像の表示期間がｔ２であった場合、すなわち表示画像が左目用画像であった場合には、全黒画像を期間ｔ１表示した後に、上記ステップ１０８で取得した右目用画像を表示する。
【００５０】
そして、ステップ１０６へ戻って、ステップ１０８及び１１０の処理を繰り返す。繰り返し処理する際のステップ１１０では、前回処理におけるステップ１１０での全黒画像の表示期間（ｔ１またはｔ２）と逆の表示期間（ｔ２またはｔ１）で全黒画像を表示するようにする。これにより、図５の上段に示す画像表示のタイムチャートのように、右目用画像の表示前には全黒画像が期間ｔ１表示され、左目用画像の表示前には全黒画像が期間ｔ２表示される。
【００５１】
次に、図６を参照して、第１の実施の形態の立体視画像視聴システム１０のシャッタメガネ制御部５０において実行されるシャッタメガネ切換タイミング設定処理ルーチンについて説明する。本ルーチンは、シャッタメガネ４０に設けられた図示しない電源スイッチがオンされることによりスタートする。なお、ここでは、上記表示処理に対応して、識別用画像として全黒画像を用いる場合について説明する。
【００５２】
ステップ１５０で、内蔵カメラ４２で撮影された撮影画像を取り込んで、撮影画像から、ディスプレイ２２に表示されたディスプレイ画像が検出されたか否かを判定する。判定の処理は、例えば、撮影画像内に高輝度の矩形領域が検出された場合にディスプレイ画像が検出されたと判定することができる。ディスプレイ画像が検出された場合には、ステップ１５２へ移行し、検出されない場合には、ディスプレイ画像が検出されるまで、本ステップの処理を繰り返す。
【００５３】
ステップ１５２では、上記ステップ１５０で検出されたディスプレイ画像を画像認識して、ディスプレイ画像の色及び模様の少なくとも一方が、認識用画像として予め定めたもの（ここでは、全黒画像）か否かを判定する。ディスプレイ画像が識別用画像、すなわち全黒画像であると判定された場合には、ステップ１５４へ移行して、全黒画像が検出されたタイミングを所定の記憶領域に記憶して、ステップ１５０へ戻る。一方、ディスプレイ画像が全黒画像ではないと判定された場合には、ステップ１５６へ移行する。
【００５４】
ステップ１５６では、上記ステップ１５４で記録された全黒画像の検出タイミングと、上記ステップ１５２で全黒画像ではないと判定されたときのタイミングとに基づいて、全黒画像の表示期間を算出する。
【００５５】
次に、ステップ１５８で、上記ステップ１５６で算出された全黒画像の表示期間が、期間ｔ１または期間ｔ２であるかを判定する。全黒画像の表示期間が期間ｔ１または期間ｔ２の場合には、ステップ１６０へ移行し、期間ｔ１または期間ｔ２のいずれでもない場合には、ステップ１５０へ戻る。なお、上記ステップ１５２で１度も否定判定されることなく本ステップへ移行した場合、すなわち全黒画像の検出タイミングの記録がない場合にも、本ステップで否定判定されてステップ１５０へ戻る。
【００５６】
ステップ１６０では、上記ステップ１５８の判定結果に基づいて、現在表示されているフレームが右目用画像か左目用画像かを判定する。全黒画像の表示期間がｔ１の場合には、現フレームは右目用画像であると判定され、全黒画像の表示期間がｔ２の場合には、現フレームは左目用画像であると判定される。
【００５７】
次に、ステップ１６２で、上記ステップ１６０での判定結果に基づいて、次フレームの画像表示タイミングに応じた右目用液晶シャッタ４４ａ及び左目用液晶シャッタ４４ｂの開閉切換タイミングを設定する。現フレームが右目用画像の場合には、上記ステップ１５２で検出された全黒画像の終了タイミングから右目用画像の表示期間（例えば、１／１２０秒−ｔ１）後の時点を、右目用液晶シャッタ４４ａの閉タイミングとして設定し、そこからさらに期間ｔ２後の時点を、左目用液晶シャッタ４４ｂの開タイミングとして設定する。同様に、現フレームが左目用画像の場合には、上記ステップ１５２で検出された全黒画像の終了タイミングから左目用画像の表示期間（例えば、１／１２０秒−ｔ２）後の時点を、左目用液晶シャッタ４４ｂの閉タイミングとして設定し、そこからさらに期間ｔ１後の時点を、右目用液晶シャッタ４４ａの開タイミングとして設定する。なお、ここでは、次フレームに対応した開閉タイミングを設定する場合について説明したが、次フレーム以降のフレームに対応した開閉タイミングを設定するようにしてもよい。
【００５８】
次に、ステップ１６４で、シャッタメガネ４０の電源がオフされたか否かを判定して、電源がオフされていない場合には、ステップ１５０へ戻って、処理を繰り返し、電源がオフされた場合には、処理を終了する。
【００５９】
液晶シャッタ駆動部５６では、上記シャッタメガネ切換タイミング設定処理ルーチンを実行することにより設定された開閉タイミングに基づいて、右目用液晶シャッタ４４ａ及び左目用液晶シャッタ４４ｂを開閉駆動する。これにより、図５の下段に示すシャッタメガネ切換のタイムチャートに示すように、全黒画像から右目用画像に切り換わるタイミングで右目用液晶シャッタ４４ａが開になり、右目用画像から全黒画像に切り換わるタイミングで右目用液晶シャッタ４４ａが閉になる。また、全黒画像から左目用画像に切り換わるタイミングで左目用液晶シャッタ４４ｂが開になり、左目用画像から全黒画像に切り換わるタイミングで左目用液晶シャッタ４４ｂが閉になる。
【００６０】
以上説明したように、第１の実施の形態の立体視画像視聴システムによれば、表示装置において、右目用画像及び左目用画像の表示前に、各々異なる表示期間で識別用画像を表示し、シャッタメガネにおいて、識別用画像の表示期間に基づいて、右目用画像及び左目用画像の表示期間を区別することができるため、右目用液晶シャッタ及び左目用液晶シャッタの開閉タイミングを各々適切に設定することができ、左右画像のいずれに対しても同期がとれ、逆視を防止することができる。
【００６１】
また、識別用画像の表示期間は、右目用液晶シャッタ及び左目用液晶シャッタのいずれもが閉状態となっているため、識別用画像が表示されることによる違和感を視聴者に与えることがない。
【００６２】
なお、第１の実施の形態では、識別用画像を全黒画像とする場合について説明したが、これに限定されるものではなく、全赤画像や全青画像などの他の色を用いてもよい。また、画像全体を同一色にする場合だけでなく、予め定めた模様の識別用画像としてもよい。この場合、内蔵カメラで検出されたディスプレイ画像をパターン認識して、予め定めた模様と一致するか否かにより、ディスプレイ画像が識別用画像か否かを判定するようにするとよい。
【００６３】
次に、第２の実施の形態について説明する。第１の実施の形態では、識別用画像の表示期間を異ならせることにより右目用画像と左目用画像とを区別する場合について説明したが、第２の実施の形態では、異なる識別用画像を用いて右目用画像と左目用画像とを区別する場合について説明する。なお、第２の実施の形態の立体視画像視聴システムは、第１の実施の形態の立体視画像視聴システム１０と、識別用画像重畳部３４及びタイミング設定部５４が異なるのみであるため、異なる点以外の説明は省略する。
【００６４】
識別用画像重畳部３４は、右目用画像と左目用画像との切換タイミングを検出するための識別用画像として、右目用画像の表示前に表示する右識別用画像と左目用画像の表示前に表示する左識別用画像とを予め用意しておく。右識別用画像と左識別用画像とでは、色及び模様の少なくとも一方を異なるものとしておく。例えば、右識別用画像は、画像全体を赤色とした全赤画像とすることができ、左識別用画像は、画像全体を青色とした全青画像とすることができる。識別用画像重畳部３４では、右識別用画像が右目用画像の表示開始からの所定期間ｔ表示され、左識別用画像が左目用画像の表示開始からの所定期間ｔ表示されるように、右識別用画像及び左識別用画像を右目用画像及び左目用画像の各々に重畳する。
【００６５】
タイミング設定部５４は、内蔵カメラ４２で撮影された撮影画像から検出されたディスプレイ画像を画像認識することにより、ディスプレイ画像の色及び模様の少なくとも一方が予め定めた右識別用画像のものと一致するか否か、または左識別用画像のものと一致するか否かを判定する。右識別用画像または左識別用画像と判定された場合には、その判定結果に基づいて、現在表示されているフレームが右目用画像か左目用画像かを判定して、次フレームまたは次フレーム以降のフレームの画像表示タイミングに応じた右目用液晶シャッタ４４ａ及び左目用液晶シャッタ４４ｂの開閉切換タイミングを設定する。
【００６６】
次に、図７を参照して、第２の実施の形態の立体視画像視聴システム１０の表示装置制御部３０において実行される表示処理ルーチンについて説明する。本ルーチンは、図示しない操作スイッチが操作されて立体視画像の表示（動画像の再生）が指示されることによりスタートする。なお、ここでは、右識別用画像として全赤画像、左識別用画像として全青画像を用いる場合について説明する。また、第１の実施の形態の表示処理と同一の処理については、同一の符号を付して詳細な説明を省略する。
【００６７】
ステップ１００で、１フレーム目の画像を取得し、次に、ステップ１０２で、１フレーム目の画像が右目用画像か左目用画像かを判定する。
【００６８】
次に、ステップ２０４で、上記ステップ１０２の判定結果に基づいて、１フレーム目が右目用画像の場合には全赤画像を期間ｔ表示した後に、上記ステップ１００で取得した右目用画像を表示する。また、１フレーム目が左目用画像の場合には全青画像を期間ｔ表示した後に、上記ステップ１００で取得した左目用画像を表示する。
【００６９】
次に、ステップ１０６及び１０８を実行して、次フレームの画像を取得し、次に、ステップ２１０で、上記ステップ２０４で表示した識別用画像が全赤画像であった場合、すなわち表示画像が右目用画像であった場合には、全青画像を期間ｔ表示した後に、上記ステップ１０８で取得した左目用画像を表示する。また、上記ステップ２０４で表示した識別用画像が全青画像であった場合、すなわち表示画像が左目用画像であった場合には、全赤画像を期間ｔ表示した後に、上記ステップ１０８で取得した右目用画像を表示する。
【００７０】
そして、ステップ１０６へ戻って、ステップ１０８及び２１０の処理を繰り返す。繰り返し処理する際のステップ２１０では、前回処理におけるステップ２１０で表示した識別用画像（全赤画像または全青画像）と逆の識別用画像（全青画像または全赤画像）を表示するようにする。これにより、図８の上段に示す画像表示のタイムチャートのように、右目用画像の表示前には全赤画像が期間ｔ表示され、左目用画像の表示前には全青画像が期間ｔ表示される。
【００７１】
次に、図９を参照して、第２の実施の形態の立体視画像視聴システム１０のシャッタメガネ制御部５０において実行されるシャッタメガネ切換タイミング設定処理ルーチンについて説明する。本ルーチンは、シャッタメガネ４０に設けられた図示しない電源スイッチがオンされることによりスタートする。なお、ここでは、上記表示処理に対応して、右識別用画像として全赤画像、左識別用画像として全青画像を用いる場合について説明する。また、第１の実施の形態のシャッタメガネ切換タイミング設定処理と同一の処理については、同一の符号を付して詳細な説明を省略する。
【００７２】
ステップ１５０でディスプレイ画像を検出すると、ステップ２５２へ移行して、上記ステップ１５０で検出されたディスプレイ画像を画像認識して、ディスプレイ画像の色及び模様の少なくとも一方が、右認識用画像として予め定めたもの（ここでは、全赤画像）か、または左認識用画像として予め定めたもの（ここでは、全青画像）か否かを判定する。ディスプレイ画像が右識別用画像または左識別用画像、すなわち、全赤画像または全青画像であると判定された場合には、ステップ２５４へ移行して、全赤画像または全青画像が検出されたタイミングを所定の記憶領域に記憶して、ステップ１５０へ戻る。一方、ディスプレイ画像が全赤画像または全青画像のいずれでもないと判定された場合には、ステップ２５６へ移行する。
【００７３】
ステップ２５６では、上記ステップ２５４で記録された全赤画像または全青画像の検出タイミングと、上記ステップ２５２で全赤画像または全青画像ではないと判定されたときのタイミングとに基づいて、全赤画像または全青画像の表示期間を算出する。
【００７４】
次に、ステップ２５８で、上記ステップ２５６で算出された全赤画像または全青画像の表示期間が、期間ｔであるかを判定する。全赤画像または全青画像の表示期間が期間ｔの場合には、ステップ２６０へ移行し、期間ｔではない場合には、ステップ１５０へ戻る。なお、上記ステップ２５２で１度も否定判定されることなく本ステップへ移行した場合、すなわち全赤画像または全青画像の検出タイミングの記録がない場合にも、本ステップで否定判定されてステップ１５０へ戻る。
【００７５】
ステップ２６０では、上記ステップ２５２の判定結果に基づいて、現在表示されているフレームが右目用画像か左目用画像かを判定する。識別用画像が全赤画像の場合には、現フレームは右目用画像であると判定され、全青画像の場合には、現フレームは左目用画像であると判定される。
【００７６】
次に、ステップ１６２で、上記ステップ２６０での判定結果に基づいて、図８の下段のシャッタメガネ切換のタイムチャートに示すように、次フレームの画像表示タイミングに応じた右目用液晶シャッタ４４ａ及び左目用液晶シャッタ４４ｂの開閉切換タイミングを設定する。
【００７７】
以上説明したように、第２の実施の形態の立体視画像視聴システムによれば、表示装置において、右目用画像の表示前に識別用画像として全赤画像を表示し、左目用画像の表示前に識別用画像として全青画像を表示し、シャッタメガネにおいて、識別用画像が全赤画像か全青画像かに基づいて、右目用画像及び左目用画像の表示期間を区別することができるため、右目用液晶シャッタ及び左目用液晶シャッタの開閉タイミングを各々適切に設定することができ、左右画像のいずれに対しても同期がとれ、逆視を防止することができる。
【００７８】
また、右識別用画像及び左識別用画像の表示期間は、右目用液晶シャッタ及び左目用液晶シャッタのいずれもが閉状態となっているため、識別用画像が表示されることによる違和感を視聴者に与えることがない。
【００７９】
なお、第２の実施の形態では、右識別用画像及び左識別用画像を全赤画像及び全青画像とする場合について説明したが、これに限定されるものではなく、右目用画像と左目用画像とを区別することができるように、色及び模様の少なくとも一方が異なるものであればよい。
【００８０】
また、第１の実施の形態と組み合わせて、右識別用画像の表示期間と左識別用画像の表示期間を異ならせるようにしてもよい。この場合、シャッタメガネにおいて、識別用画像の色及び模様の少なくとも一方の相違と表示期間の相違とをあわせて判定することで、右目用画像と左目用画像とを区別する精度を向上することができる。
【００８１】
次に、第３の実施の形態について説明する。第３の実施の形態では、識別用画像が右目用画像及び左目用画像に対してコントラストが高くなるようにする場合について説明する。なお、第３の実施の形態の立体視画像視聴システムは、第１の実施の形態の立体視画像視聴システム１０と、識別用画像重畳部３４が異なるのみであるため、異なる点以外の説明は省略する。
【００８２】
識別用画像重畳部３４は、右目用画像と左目用画像との切換タイミングを検出するための識別用画像として、輝度及び彩度の少なくとも一方を異ならせた複数の識別用画像を用意しておく。そして、右目用画像及び左目用画像の所定フレーム分の輝度及び彩度に基づいて、右目用画像及び左目用画像に対してコントラストが高くなる識別用画像を選択して、画像取得部３２により取得された画像に重畳する。
【００８３】
次に、図１０を参照して、第３の実施の形態の立体視画像視聴システム１０の表示装置制御部３０において実行される表示処理ルーチンについて説明する。本ルーチンは、図示しない操作スイッチが操作されて立体視画像の表示（動画像の再生）が指示されることによりスタートする。なお、第１の実施の形態の表示処理と同一の処理については、同一の符号を付して詳細な説明を省略する。
【００８４】
ステップ３００で、図示しない記録メディアに記録されている動画像や、ネットワークを介してダウンロードした動画像の所定期間先までの所定フレーム数の画像を取得する。次に、ステップ１０２で、上記ステップ１００で取得した所定フレームのうち、１フレーム目の画像が右目用画像か左目用画像かを判定する。
【００８５】
次に、ステップ３０２で、上記ステップ３００で取得した所定フレーム数の画像の輝度及び彩度の平均値を算出する。
【００８６】
次に、ステップ３０４で、上記ステップ３０２の算出結果に基づいて、複数用意した識別用画像の中から、表示画像に対して高コントラスト及び高色度差となる識別用画像を選択する。そして、上記ステップ１０２の判定結果に基づいて、１フレーム目が右目用画像の場合には選択した識別用画像を期間ｔ１表示した後に、上記ステップ１００で取得した所定フレーム数の画像の１フレーム目の右目用画像を表示する。また、１フレーム目が左目用画像の場合には選択した識別用画像を期間ｔ２表示した後に、上記ステップ１００で取得した所定フレーム数の画像の１フレーム目の左目用画像を表示する。
【００８７】
次に、ステップ１０６で、次のフレームが存在すると判定された場合には、ステップ３０８へ移行して、次のフレームから所定期間先の所定フレーム数の画像を取得する。
【００８８】
次に、ステップ３０９で、上記ステップ３０２と同様に、上記ステップ３０８で取得した所定フレーム数の画像の輝度及び彩度の平均値を算出する。
【００８９】
次に、ステップ３１０で、上記ステップ３０９の算出結果に基づいて、複数用意した識別用画像の中から、表示画像に対して高コントラスト及び高色度差となる識別用画像を選択する。そして、上記ステップ３０４で表示した表示期間（ｔ１またはｔ２）と逆の表示期間（ｔ２またはｔ１）で識別用画像を表示した後に、次フレームの画像を表示して、ステップ１０６へ戻る。
【００９０】
この場合、シャッタメガネ切換タイミング設定処理（図６）のステップ１５２では、ディスプレイ画像が、複数用意された識別用画像のいずれかであるか否かを判定するようにするとよい。
【００９１】
なお、上記ステップ３００で取得した所定フレーム分については、上記ステップ３０９を省略して、上記ステップ３０４で選択した識別用画像を用いるようにしてもよい。
【００９２】
以上説明したように、第３の実施の形態の立体視画像視聴システムによれば、左右画像のいずれに対しても同期がとれ、逆視を防止することができるという効果に加え、識別用画像が表示画像に対して高コントラスト及び高色度差となるため、識別用画像を精度よく検出することができる。
【００９３】
なお、表示画像と識別用画像とのコントラストが高すぎる場合には、シャッタメガネを装着していない人にとってはちらつきのある画像に感じる場合もあるため、識別用画像を選択する際には、識別用画像の検出精度を考慮して、表示画像とのコントラスト及び色度差が必要最低限となる識別用画像を選択するようにするとよい。
【００９４】
また、第２の実施の形態と組み合わせて、右識別用画像及び左識別用画像の各々について複数の識別用画像を用意しておくようにしてもよい。
【００９５】
次に、第４の実施の形態について説明する。第４の実施の形態では、右目用画像の表示期間と左目用画像の表示期間とを同一とする場合について説明する。なお、第４の実施の形態の立体視画像視聴システムの構成は、第１の実施の形態の立体視画像視聴システム１０の構成と同一であるので、説明を省略する。
【００９６】
図１１に示すように、第４の実施の形態では、表示装置２０において識別用画像（ここでは、全黒画像とする）を表示する際に、右目用画像の表示期間と左目用画像の表示期間とが同一になるようなタイミングで表示する。例えば、右目用画像の表示前に表示する場合の全黒画像の表示期間をｔ１、左目用画像の表示前に表示する場合の全黒画像の表示期間をｔ２（ｔ２≠ｔ１）、１フレームの表示期間を１／１２０秒とすると、右目用画像及び左目用画像の表示期間ｔｇは、ｔｇ＝１／１２０−（ｔ１＋ｔ２）／２で計算できる。
【００９７】
この場合、表示処理（図４）のステップ１０４及び１１０では、右目用画像の表示前に全黒画像を期間ｔ１表示した後に、右目用画像を期間ｔｇ表示し、左目用画像の表示前に全黒画像を期間ｔ２表示した後に、左目用画像を期間ｔｇ表示する。
【００９８】
以上説明したように、第４の実施の形態の立体視画像視聴システムによれば、左右画像のいずれに対しても同期がとれ、逆視を防止することができるという効果に加え、右目用画像と左目用画像との表示期間を同一とすることで、左右画像の切り換わりによる輝度差のちらつきを抑え、視聴し易さを向上させることができる。
【００９９】
次に、第５の実施の形態について説明する。第１〜第４の実施の形態では、識別用画像を表示画像の表示前の所定期間表示する場合について説明したが、第５の実施の形態では、表示画像の表示期間全体において、所定周期で識別用画像を表示する場合について説明する。なお、第５の実施の形態の立体視画像視聴システムは、第１の実施の形態の立体視画像視聴システム１０と、識別用画像重畳部３４及びタイミング設定部５４が異なるのみであるため、異なる点以外の説明は省略する。
【０１００】
識別用画像重畳部３４は、色及び模様の少なくとも一方が定められた識別用画像（例えば、全黒画像）を予め用意しておき、右目用画像の表示期間中には周期Ｔ１で、左目用画像の表示期間中には周期Ｔ２で識別用画像を表示する。識別用画像の表示期間は、表示画像の表示期間に対して非常に短い時間とする。
【０１０１】
タイミング設定部５４は、ディスプレイ画像から識別用画像を検出し、識別用画像が表示される周期を算出して、算出された周期に基づいて、現在表示されているフレームが右目用画像か左目用画像かを判定する。そして、識別用画像が表示される周期の切り替わるタイミングに基づいて、次フレームまたは次フレーム以降のフレームの表示画像の表示タイミングに応じた右目用液晶シャッタ４４ａ及び左目用液晶シャッタ４４ｂの開閉切換タイミングを設定する。
【０１０２】
次に、図１２を参照して、第５の実施の形態の立体視画像視聴システム１０の表示装置制御部３０において実行される表示処理ルーチンについて説明する。本ルーチンは、図示しない操作スイッチが操作されて立体視画像の表示（動画像の再生）が指示されることによりスタートする。なお、ここでは、識別用画像として全黒画像を用いる場合について説明する。また、第１の実施の形態の表示処理と同一の処理については、同一の符号を付して詳細な説明を省略する。
【０１０３】
ステップ１００で、１フレーム目の画像を取得し、次に、ステップ１０２で、１フレーム目の画像が右目用画像か左目用画像かを判定する。
【０１０４】
次に、ステップ５０４で、上記ステップ１０２の判定結果に基づいて、１フレーム目が右目用画像の場合には、右目用画像を表示すると共に、右目用画像の表示期間中に周期Ｔ１で全黒画像を表示する。また、１フレーム目が左目用画像の場合には、左目用画像を表示すると共に、左目用画像の表示期間中に周期Ｔ２で全黒画像を表示する。
【０１０５】
次に、ステップ１０６及び１０８を実行して、次フレームの画像を取得し、次に、ステップ５１０で、次フレームの画像を表示すると共に、上記ステップ５０４で全黒画像を表示した周期（Ｔ１またはＴ２）とは逆の周期（Ｔ２またはＴ１）で全黒画像を表示して、ステップ１０６に戻る。これにより、図１３の上段に示す画像表示のタイムチャートのように、右目用画像の表示期間中には周期Ｔ１で、左目用画像の表示前には周期Ｔ２で全黒画像が表示される。
【０１０６】
次に、図１４を参照して、第５の実施の形態の立体視画像視聴システム１０のシャッタメガネ制御部５０において実行されるシャッタメガネ切換タイミング設定処理ルーチンについて説明する。本ルーチンは、シャッタメガネ４０に設けられた図示しない電源スイッチがオンされることによりスタートする。なお、ここでは、上記表示処理に対応して、識別用画像として全黒画像を用いるものとし、全黒画像を表示する周期Ｔ１及びＴ２をＴ１＞Ｔ２とする場合について説明する。また、第１の実施の形態のシャッタメガネ切換タイミング設定処理と同一の処理については、同一の符号を付して詳細な説明を省略する。
【０１０７】
ステップ１５０及び１５２を実行して、ディスプレイ画像が全黒画像であると判定された場合には、ステップ１５４へ移行して、全黒画像が検出されたタイミングを所定の記憶領域に記憶して、ステップ１５０へ戻る。一方、ディスプレイ画像が全黒画像ではないと判定された場合には、ステップ５５０へ移行する。
【０１０８】
ステップ５５０では、引き続きディスプレイ画像を検出して、ディスプレイ画像が全黒画像か否かを判定する。ディスプレイ画像が全黒画像ではない場合には、ステップ５５１へ移行して、上記ステップ１５２で全黒画像ではないと判定されてからの経過時間がＴ１を超えたか否かを判定する。Ｔ１を超えていない場合には、ステップ５５０へ戻り、Ｔ１を超えた場合には、ステップ１５０へ戻る。
【０１０９】
そして、ステップ５５０でディスプレイ画像が全黒画像であると判定されると、ステップ５５６へ移行して、上記ステップ１５４で記録された全黒画像の検出タイミングと、上記ステップ５５０でディスプレイ画像が全黒画像であると判定されたときのタイミングとに基づいて、全黒画像が表示される周期を算出する。
【０１１０】
次に、ステップ５５８で、上記ステップ５５６で算出された全黒画像が表示される周期がＴ１またはＴ２であるか否かを判定する。全黒画像の表示される周期がＴ１またはＴ２である場合には、ステップ５６０へ移行し、Ｔ１またはＴ２のいずれでもない場合には、ステップ１５０へ戻る。なお、上記ステップ１５２で１度も否定判定されることなく本ステップへ移行した場合、すなわち全黒画像の検出タイミングの記録がない場合にも、本ステップで否定判定されてステップ１５０へ戻る。
【０１１１】
ステップ５６０では、上記ステップ５５８の判定結果に基づいて、現在表示されているフレームが右目用画像か左目用画像かを判定する。全黒画像の表示される周期がＴ１の場合には、現フレームは右目用画像であると判定され、全黒画像の表示される周期がＴ２の場合には、現フレームは左目用画像であると判定される。
【０１１２】
次に、ステップ１６２で、上記ステップ５６０での判定結果に基づいて、図１３下段のシャッタメガネ切換のタイムチャートに示すように、次フレームの画像表示タイミングに応じた右目用液晶シャッタ４４ａ及び左目用液晶シャッタ４４ｂの開閉切換タイミングを設定する。
【０１１３】
以上説明したように、第５の実施の形態の立体視画像視聴システムによれば、左右画像のいずれに対しても同期がとれ、逆視を防止することができるという効果に加え、識別用画像の検出ミスが生じても、１フレーム以内に再検出できる可能性が高いため、タイミングの設定の確実性を向上させることができる。
【０１１４】
なお、第５の実施の形態では、識別用画像を全黒画像とする場合について説明したが、これに限定されるものではなく、全赤画像や全青画像などの他の色や模様などを用いてもよい。また、右目用画像表示中に表示する識別用画像と、左目用画像表示中に表示する識別用画像とを異ならせてもよい。
【０１１５】
また、識別用画像を複数用意しておき、表示画像に対して高コントラスト及び高色度差となる識別用画像を選択するようにしてもよい。なお、この場合、画像のちらつきを防止するために、識別用画像の検出精度を考慮して、表示画像とのコントラスト及び色度差が必要最低限となる識別用画像を選択するようにするとよい。
【０１１６】
次に、第６の実施の形態について説明する。第５の実施の形態では、識別用画像を表示画像の表示期間中全体において所定周期で表示する場合について説明したが、第６の実施の形態では、表示画像の表示開始の所定期間において、所定周期で識別用画像を表示する場合について説明する。なお、第６の実施の形態の立体視画像視聴システムは、第５の実施の形態の立体視画像視聴システムと、識別用画像重畳部３４が異なるのみであるため、異なる点以外の説明は省略する。
【０１１７】
識別用画像重畳部３４は、色及び模様の少なくとも一方が定められた識別用画像（例えば、全黒画像）を予め用意しておき、右目用画像の表示開始の所定期間ｔにおいて周期Ｔ１で、左目用画像の表示開始の所定期間ｔにおいては周期Ｔ２で識別用画像を表示する。識別用画像の表示期間は、表示画像の表示期間に対して非常に短い時間とする。
【０１１８】
次に、図１５を参照して、第６の実施の形態の立体視画像視聴システム１０の表示装置制御部３０において実行される表示処理ルーチンについて説明する。本ルーチンは、図示しない操作スイッチが操作されて立体視画像の表示（動画像の再生）が指示されることによりスタートする。なお、ここでは、識別用画像として全黒画像を用いる場合について説明する。また、第１の実施の形態の表示処理と同一の処理については、同一の符号を付して詳細な説明を省略する。
【０１１９】
ステップ１００で、１フレーム目の画像を取得し、次に、ステップ１０２で、１フレーム目の画像が右目用画像か左目用画像かを判定する。
【０１２０】
次に、ステップ６０４で、上記ステップ１０２の判定結果に基づいて、１フレーム目が右目用画像の場合には、右目用画像を表示すると共に、右目用画像の表示開始の所定期間ｔにおいて周期Ｔ１で全黒画像を表示する。また、１フレーム目が左目用画像の場合には、左目用画像を表示すると共に、左目用画像の表示開始の所定期間ｔにおいて周期Ｔ２で全黒画像を表示する。
【０１２１】
次に、ステップ１０６及び１０８を実行して、次フレームの画像を取得し、次に、ステップ６１０で、次フレームの画像を表示すると共に、上記ステップ６０４で全黒画像を表示した周期（Ｔ１またはＴ２）とは逆の周期（Ｔ２またはＴ１）で、表示画像の表示開始の所定期間ｔにおいて全黒画像を表示して、ステップ１０６に戻る。これにより、図１６の上段に示す画像表示のタイムチャートのように、右目用画像の表示開始の所定期間ｔにおいて周期Ｔ１で、左目用画像の表示開始の所定期間ｔにおいて周期Ｔ２で全黒画像が表示される。
【０１２２】
この場合、シャッタメガネ切換タイミング設定処理は、図１６中段のシャッタメガネ切換のタイムチャートに示すように、第５の実施の形態のシャッタメガネ切換タイミング設定処理と同様に処理することができる。また、図１６下段のシャッタメガネ切換のタイムチャートに示すように、第２の実施の形態のシャッタメガネ切換タイミング設定処理と同様に処理して、右目用画像及び左目用画像の表示開始の期間ｔは、シャッタメガネが閉となるようにしてもよい。
【０１２３】
以上説明したように、第６の実施の形態の立体視画像視聴システムによれば、左右画像のいずれに対しても同期がとれ、逆視を防止することができる。
【０１２４】
なお、第６の実施の形態では、識別用画像を全黒画像とする場合について説明したが、これに限定されるものではなく、全赤画像や全青画像などの他の色や模様などを用いてもよい。また、右目用画像表示中に表示する識別用画像と、左目用画像表示中に表示する識別用画像とを異ならせてもよい。
【０１２５】
また、識別用画像を複数用意しておき、表示画像に対して高コントラスト及び高色度差となる識別用画像を選択するようにしてもよい。なお、この場合、画像のちらつきを防止するために、識別用画像の検出精度を考慮して、表示画像とのコントラスト及び色度差が必要最低限となる識別用画像を選択するようにするとよい。
【０１２６】
また、第６の実施の形態では、識別用画像の表示期間として、右目用画像の表示開始の所定期間と左目用画像の表示開始の所定期間とを同一とする場合について説明したが、異なる所定期間を設定するようにしてもよい。
【０１２７】
なお、上記各実施の形態では、表示装置において、表示画像に識別用画像を重畳して表示するように制御する場合について説明したが、立体視用の動画像に各実施の形態で説明したような識別用画像が予め重畳されている場合には、各実施の形態で説明したシャッタメガネのみでも、本発明の効果を奏することができる。
【符号の説明】
【０１２８】
１０   立体視画像視聴システム
２０   表示装置
２２   ディスプレイ
３０   表示装置制御部
３２   画像取得部
３４   識別用画像重畳部
３６   表示制御部
４０   シャッタメガネ
４２   内蔵カメラ
４４ａ 右目用液晶シャッタ
４４ｂ 左目用液晶シャッタ
５０   シャッタメガネ制御部
５４   タイミング設定部
５６   液晶シャッタ駆動部
【図１】
2012060500.tif 000003
【図２】
2012060500.tif 000004
【図３】
2012060500.tif 000005
【図４】
2012060500.tif 000006
【図５】
2012060500.tif 000007
【図６】
2012060500.tif 000008
【図７】
2012060500.tif 000009
【図８】
2012060500.tif 000010
【図９】
2012060500.tif 000011
【図１０】
2012060500.tif 000012
【図１１】
2012060500.tif 000013
【図１２】
2012060500.tif 000014
【図１３】
2012060500.tif 000015
【図１４】
2012060500.tif 000016
【図１５】
2012060500.tif 000017
【図１６】
2012060500.tif 000018